(57)【要約】  映像表示装置と、映像表示装置に出力させる映像の映像信号を供給する映像供給装置とを具備し、映像表示装置と映像供給装置との接続状態を確認できる映像表示システムであって、映像供給装置は、映像表示装置との接続状態および映像表示装置の動作環境を確認するための接続確認コマンドを映像表示装置へ送信し、その後、映像表示装置から送信された接続状態および動作環境を示す応答コマンドを受信すると、その受信内容に応じた映像信号を生成する映像供給装置側制御部を備え、映像表示装置は、映像供給装置側制御部からの接続確認コマンドを受信すると、接続状態および自身の動作環境を示す応答コマンドを生成して前記映像供給装置側制御部へ送信する映像表示装置側制御部を備える。
2009147713.tif 000002
【特許請求の範囲】
【請求項１】
映像表示装置と、該映像表示装置に出力させる映像の映像信号を供給する映像供給装置とを具備し、前記映像表示装置と前記映像供給装置との接続状態を確認できる映像表示システムであって、
前記映像供給装置は、前記映像表示装置との接続状態および前記映像表示装置の動作環境を確認するための接続確認コマンドを前記映像表示装置へ送信し、その後、前記映像表示装置から送信された接続状態および動作環境を示す応答コマンドを受信すると、その受信内容に応じた映像信号を生成する映像供給装置側制御部を備え、
前記映像表示装置は、前記映像供給装置側制御部からの接続確認コマンドを受信すると、接続状態および自身の動作環境を示す応答コマンドを生成して前記映像供給装置側制御部へ送信する映像表示装置側制御部を備えることを特徴とする映像表示システム。
【請求項２】
請求項１に記載の映像表示システムにおいて、
前記映像表示装置は、前記映像供給装置側制御部から送信された映像信号を受信すると、受信した映像信号に基づく映像を表示する映像出力部を備え、
前記映像表示装置側制御部は、前記映像が正常に前記映像出力部に表示されていない場合、前記映像表示装置の動作環境を示す応答コマンドを前記映像供給装置側制御部へ送信する映像表示システム。
【請求項３】
請求項１に記載の映像表示システムにおいて、
前記映像表示装置は、映像信号の入力を受け付ける複数の外部入力端子を備え、
前記映像表示装置側制御部は、前記映像供給装置側制御部から送信された接続確認コマンドを受信した外部入力端子が映像信号の入力を受け付ける状態にある外部入力端子と異なっていた場合、前記接続確認コマンドを受信した外部入力端子を映像信号の入力を受け付ける状態に切り替え、前記映像供給装置と前記映像表示装置との接続状態が正常であることを示す応答コマンドを前記映像供給装置側制御部へ送信する映像表示システム。
【請求項４】
請求項１に記載の映像表示システムにおいて、
前記映像供給装置は、前記映像供給装置側制御部によって生成された映像信号に基づく映像を表示する映像表示部を備え、
前記映像供給装置側制御部は、前記接続確認コマンドを前記映像表示装置側制御部へ送信した後、予め決められた時間を経過しても前記映像表示装置側制御部から応答コマンドを受信しなかった場合、前記映像と、前記映像供給装置と前記映像表示装置との接続状態が正常でないことを示すメッセージと、を前記映像表示部に表示させる映像表示システム。
【請求項５】
映像供給装置とともに映像表示システムを構成する映像表示装置において、
前記映像供給装置から、該映像供給装置との接続状態および動作環境を確認するための接続確認コマンドを受信した際に、前記映像供給装置との接続状態および自身の動作環境を示す応答コマンドを生成して前記映像供給装置へ送信する映像表示装置側制御部を備える映像表示装置。
【請求項６】
請求項５に記載の映像表示装置において、
前記映像供給装置から送信された映像信号を受信すると、受信した映像信号に基づく映像を表示する映像出力部を備え、
前記映像表示装置側制御部は、前記映像が正常に前記映像出力部に表示されていない場合、前記映像表示装置の動作環境を示す応答コマンドを前記映像供給装置へ送信する映像表示装置。
【請求項７】
請求項５に記載の映像表示装置において、
映像信号の入力を受け付ける複数の外部入力端子を備え、
前記映像表示装置側制御部は、前記映像供給装置から送信された接続確認コマンドを受信した外部入力端子が映像信号の入力を受け付ける状態にある外部入力端子と異なっていた場合、前記接続確認コマンドを受信した外部入力端子を映像信号の入力を受け付ける状態に切り替え、前記映像供給装置と前記映像表示装置との接続状態が正常であることを示す応答コマンドを前記映像供給装置へ送信する映像表示装置。
【請求項８】
映像表示装置とともに映像表示システムを構成する映像供給装置において、
前記映像表示装置へ、該映像表示装置との接続状態および動作環境を確認するための接続確認コマンドを送信し、その後、前記映像表示装置から送信された接続状態および動作環境を示す応答コマンドを受信すると、その受信内容に応じた映像信号を生成する映像供給装置側制御部を備える映像供給装置。
【請求項９】
請求項８に記載の映像供給装置において、
前記映像供給装置側制御部によって生成された映像信号に基づく映像を表示する映像表示部を備え、
前記映像供給装置側制御部は、前記接続確認コマンドを前記映像表示装置へ送信した後、予め決められた時間を経過しても前記映像表示装置から応答コマンドを受信しなかった場合、前記映像と、前記映像供給装置と前記映像表示装置との接続状態が正常でないことを示すメッセージと、を前記映像表示部に表示させる映像供給装置。
【請求項１０】
映像表示装置と、該映像表示装置に出力させる映像の映像信号を供給する映像供給装置とを具備する映像表示システムで行われ、前記映像表示装置と前記映像供給装置との接続状態を確認できる映像表示方法であって、
前記映像供給装置が、前記映像表示装置との接続状態および前記映像表示装置の動作環境を確認するための接続確認コマンドを前記映像表示装置へ送信する処理と、
前記映像表示装置が、前記映像供給装置側制御部からの接続確認コマンドを受信すると、接続状態および自身の動作環境を示す応答コマンドを生成して前記映像供給装置側制御部へ送信する処理と、
前記映像供給装置が、前記映像表示装置から送信された接続状態および動作環境を示す応答コマンドを受信すると、その受信内容に応じた映像信号を生成する処理とを有する映像表示方法。
【請求項１１】
映像供給装置とともに映像表示システムを構成する映像表示装置に、
前記映像供給装置から、該映像供給装置との接続状態および動作環境を確認するための接続確認コマンドを受信した際に、前記映像供給装置との接続状態および自身の動作環境を示す応答コマンドを生成して前記映像供給装置へ送信する機能を実現させるためのプログラム。
【請求項１２】
映像表示装置とともに映像表示システムを構成する映像供給装置に、
前記映像表示装置へ、該映像表示装置との接続状態および動作環境を確認するための接続確認コマンドを送信し、その後、前記映像表示装置から送信された接続状態および動作環境を示す応答コマンドを受信すると、その受信内容に応じた映像信号を生成する機能を実現させるためのプログラム。
【発明の詳細な説明】
【技術分野】
【０００１】
本発明は、映像供給装置の映像を映像表示装置に出力させる映像表示システムに関する。
【背景技術】
【０００２】
近年、プレゼンテーション等において、パーソナルコンピュータをはじめとする映像を供給する映像供給装置からの映像を映像表示装置に出力させることが多くなってきている。例えば、パーソナルコンピュータを利用してプレゼンテーション等を行う場合、パーソナルコンピュータに表示されている映像を多くの人で共有できるように、大型液晶モニタやプロジェクタ等の外部の映像表示装置にパーソナルコンピュータに表示されている映像を出力させる。【０００３】
以下、映像供給装置としてパーソナルコンピュータを例にして説明するが、映像供給装置は、パーソナルコンピュータ以外にも、映像信号を出力する様々な装置が考えられる。【０００４】
パーソナルコンピュータに表示されている映像を外部の映像表示装置に出力させる場合、ユーザーは、まず、パーソナルコンピュータ等と外部の映像表示装置とを物理的に正しく接続する必要がある。【０００５】
そこで、パーソナルコンピュータと外部の映像表示装置とが物理的に正しく接続されているかどうかをパーソナルコンピュータで確認できることが望まれ、これを実現する技術が特開２００７−２２５９８０号公報に開示されている。【０００６】
この技術では、パーソナルコンピュータから外部の映像表示装置へポーリング信号を送信する。外部の映像表示装置からそのポーリング信号に対する返信があれば、ユーザーは、パーソナルコンピュータと外部の映像表示装置とが物理的に正しく接続されていることが確認できる。【０００７】
しかしながら、上述した技術では、パーソナルコンピュータと外部の映像表示装置との物理的な接続性だけを確認しているに過ぎず、実際に外部の映像表示装置に映像を出力させるための内部的な条件の確認までは行っていない。【０００８】
ユーザーは、物理的な接続を確認した後に、映像の出力先をパーソナルコンピュータから外部の映像表示装置へ切り替える操作を行うが、この際に、切り替え先の選択や映像信号の選択を誤ると、外部の映像表示装置に映像が全く表示されない、もしくは、正しく表示されないこととなる。この場合、ユーザ―がパーソナルコンピュータや映像表示装置の操作に不慣れだと、その原因を特定することは難しい。【０００９】
また、ユーザ―が物理的な接続を確認した後、外部の映像表示装置に映像が出力されていないにもかかわらず、パーソナルコンピュータの映像の出力先を外部の映像表示装置のみにしてしまった場合、パーソナルコンピュータにも外部の映像表示装置にも映像が表示されないことになる。この場合、ユーザーは、パーソナルコンピュータを操作することができなくなってしまう。
【発明の開示】
【００１０】
本発明は、ユーザーが映像供給装置の映像を外部の映像表示装置に出力させることを容易にする映像表示システムを提供することを目的とする。
【００１１】
上記目的を達成するために本発明は、
映像表示装置と、該映像表示装置に出力させる映像の映像信号を供給する映像供給装置とを具備し、前記映像表示装置と前記映像供給装置との接続状態を確認できる映像表示システムであって、
前記映像供給装置は、前記映像表示装置との接続状態および前記映像表示装置の動作環境を確認するための接続確認コマンドを前記映像表示装置へ送信し、その後、前記映像表示装置から送信された接続状態および動作環境を示す応答コマンドを受信すると、その受信内容に応じた映像信号を生成する映像供給装置側制御部を備え、
前記映像表示装置は、前記映像供給装置側制御部からの接続確認コマンドを受信すると、接続状態および自身の動作環境を示す応答コマンドを生成して前記映像供給装置側制御部へ送信する映像表示装置側制御部を備えることを特徴とする。
【００１２】
また、映像供給装置とともに映像表示システムを構成する映像表示装置において、
前記映像供給装置から、該映像供給装置との接続状態および動作環境を確認するための接続確認コマンドを受信した際に、前記映像供給装置との接続状態および自身の動作環境を示す応答コマンドを生成して前記映像供給装置へ送信する映像表示装置側制御部を備える。
【００１３】
また、映像表示装置とともに映像表示システムを構成する映像供給装置において、
前記映像表示装置へ、該映像表示装置との接続状態および動作環境を確認するための接続確認コマンドを送信し、その後、前記映像表示装置から送信された接続状態および動作環境を示す応答コマンドを受信すると、その受信内容に応じた映像信号を生成する映像供給装置側制御部を備える。
【００１４】
また、映像表示装置と、該映像表示装置に出力させる映像の映像信号を供給する映像供給装置とを具備する映像表示システムで行われ、前記映像表示装置と前記映像供給装置との接続状態を確認できる映像表示方法であって、
前記映像供給装置が、前記映像表示装置との接続状態および前記映像表示装置の動作環境を確認するための接続確認コマンドを前記映像表示装置へ送信する処理と、
前記映像表示装置が、前記映像供給装置側制御部からの接続確認コマンドを受信すると、接続状態および自身の動作環境を示す応答コマンドを生成して前記映像供給装置側制御部へ送信する処理と、
前記映像供給装置が、前記映像表示装置から送信された接続状態および動作環境を示す応答コマンドを受信すると、その受信内容に応じた映像信号を生成する処理とを有する。
【００１５】
また、映像供給装置とともに映像表示システムを構成する映像表示装置に、
前記映像供給装置から、該映像供給装置との接続状態および動作環境を確認するための接続確認コマンドを受信した際に、前記映像供給装置との接続状態および自身の動作環境を示す応答コマンドを生成して前記映像供給装置へ送信する機能を実現させる。
【００１６】
また、映像表示装置とともに映像表示システムを構成する映像供給装置に、
前記映像表示装置へ、該映像表示装置との接続状態および動作環境を確認するための接続確認コマンドを送信し、その後、前記映像表示装置から送信された接続状態および動作環境を示す応答コマンドを受信すると、その受信内容に応じた映像信号を生成する機能を実現させる。
【００１７】
本発明は、以上説明したように構成されているので、映像の出力先を映像供給装置から外部の映像表示装置に切り替えた際、外部の映像表示装置に映像が全く表示されない、もしくは、正しく表示されない場合、ユーザ―は、その原因を特定することができる。
【図面の簡単な説明】
【００１８】
【図１】本発明の映像表示システムの第１の実施の形態を示すブロック図である。
【図２】第１の実施の形態の動作を説明するためのフローチャートであり、図１に示した映像表示システムにおいて、映像の出力先を映像表示装置に切り替えた際、パーソナルコンピュータの映像表示部に表示されている映像が正しく映像表示装置で出力される場合の動作を示している。
【図３】第１の実施の形態の動作を説明するためのフローチャートであり、図１に示した映像表示システムにおいて、パーソナルコンピュータから送信された映像信号の周波数が映像出力部で正常な表示が可能な周波数の範囲外である場合の動作を示している。
【図４】第１の実施の形態の動作を説明するためのフローチャートであり、図１に示した映像表示システムにおいて、映像表示装置の外部入力端子の選択が、パーソナルコンピュータが接続されている外部入力端子以外になっている場合の動作を示している。
【図５】第１の実施の形態の動作を説明するためのフローチャートであり、図１に示した映像表示システムにおいて、パーソナルコンピュータと映像表示装置とが物理的に接続されていない場合の動作を示している。
【図６】図１に示したパーソナルコンピュータが有している映像表示装置制御用アプリケーションを説明するための図であり、映像表示装置制御用アプリケーションを操作するための操作用アイコンが映像表示部に表示されているところを示している。
【図７】第２の実施の形態の動作を説明するためのフローチャートであり、図１に示した映像表示システムにおいて、ユーザーが映像表示装置操作用アプリケーションを操作して、映像表示装置の外部入力端子をパーソナルコンピュータが接続されている外部入力端子に切り替える場合の動作を示している。
【発明を実施するための最良の形態】
【００１９】
以下に、本発明の映像表示システムの実施の形態について、図面を参照して説明する。
（第１の実施の形態）
図１は、本発明の映像表示システムの第１の実施の形態を示すブロック図である。【００２０】
本形態の映像表示システムは図１に示すように、映像供給装置であるパーソナルコンピュータ１１０１と、パーソナルコンピュータ１１０１と信号線１３０１を介して接続された映像表示装置１２０１とから構成されている。信号線１３０１は、映像信号線１３０２とＤＤＣ（Ｄｉｓｐｌａｙ  Ｄａｔａ  Ｃｈａｎｎｅｌ）制御線１３０３とを有している。なお、映像表示装置１２０１は、ＤＤＣ規格に対応している。【００２１】
ＤＤＣ規格とは、映像表示装置とパーソナルコンピュータとの間で映像表示装置が対応している解像度等の映像表示に関する情報を交換し、パーソナルコンピュータに接続される映像表示装置のプラグアンドプレイを実現するための規格である。【００２２】
まず、本形態におけるパーソナルコンピュータ１１０１及び映像表示装置１２０１の動作概要について説明する。【００２３】
図１においてパーソナルコンピュータ１１０１は、映像表示装置１２０１との接続状態や映像表示装置１２０１の動作環境を確認するための接続確認コマンドをＤＤＣ制御線１３０３を介して映像表示装置１２０１へ送信する。【００２４】
映像表示装置１２０１は、パーソナルコンピュータ１１０１から送信された接続確認コマンドを受信すると、パーソナルコンピュータ１１０１との接続状態や自身の動作環境を示す応答コマンドをＤＤＣ制御線１３０３を介してパーソナルコンピュータ１１０１へ送信する。【００２５】
パーソナルコンピュータ１１０１は、映像表示装置１２０１から送信された応答コマンドの受信の有無や送信された応答コマンドが示す内容によって映像表示装置１２０１との接続状態や映像表示装置１２０１との動作環境を認識する。【００２６】
次に、本形態の映像表示システムの構成について説明する。【００２７】
図１に示した映像表示システムのパーソナルコンピュータ１１０１は、ＵＩ（ユーザーインタフェース）部１１０２と、映像供給装置側制御部である制御部１１０３と、モニタＩＦ（インタフェース）部１１０４と、映像表示部１１０５と、記憶部１１０６とを備えている。【００２８】
ＵＩ部１１０２は、ユーザーからのパーソナルコンピュータ１１０１に対する操作を受け付け、受け付けた操作を制御信号に変換し、その制御信号を制御部１１０３へ送信する。【００２９】
制御部１１０３は、パーソナルコンピュータ１１０１の動作を制御するものであり、代表的な動作としては、以下が挙げられる。
（１）：制御部１１０３は、ＵＩ部１１０２から送信された制御信号に応じて各ブロックの制御を行う。
（２）：制御部１１０３は、映像信号の生成を行い、生成された映像信号を映像表示部１１０５に映像として表示させたり、映像表示装置１２０１へ送信したりする。
（３）：制御部１１０３は、接続確認コマンドを生成し、映像表示装置１２０１へ送信する。また、映像表示装置１２０１から送信された応答コマンドを受信し、その応答コマンドに示された内容に応じて映像信号の生成を行う。【００３０】
モニタＩＦ部１１０４は、制御部１１０３から送信された映像信号や接続確認コマンドを信号線１３０１を介して映像表示装置１２０１へ送信するための仲介を行う。また、信号線１３０１を介して映像表示装置１２０１から送信された信号や応答コマンドを制御部１１０３へ送信するための仲介を行う。【００３１】
図１に示した映像表示システムの映像表示装置１２０１は、映像処理部１２０２と、ＯＳＤ処理部１２０３と、映像出力部１２０４と、映像表示装置側制御部である制御部１２０５と、複数の外部入力端子１２０６ａ〜１２０６ｎとを備えている。なお、ＯＳＤとは、映像表示装置の設定を行うためのメニューやガイドを映像上に表示し、ユーザーがメニューやガイドを使って映像表示装置を操作することができる機能である。このメニューやガイドは、パーソナルコンピュータ等から出力された映像の上に重畳して表示され、ユーザーが映像表示装置本体の前面や側面などに配されたボタンで操作する。【００３２】
映像処理部１２０２は、パーソナルコンピュータ１１０１から送信された映像信号を外部入力端子１２０６ａ〜１２０６ｎを介して受信し、ＯＳＤ処理部１２０３を介して映像出力部１２０４に映像を表示させる。また、受信した映像信号が映像出力部１２０４で正常な表示が可能な映像信号かどうかを判断し、その結果を制御部１２０５へ通知する。【００３３】
ＯＳＤ処理部１２０３は、映像処理部１２０２から送信された映像信号にメニューやガイドを重畳させる。【００３４】
制御部１２０５は、映像表示装置１２０１の動作を制御するものであり、代表的な動作としては、以下が挙げられる。
：制御部１２０５は、パーソナルコンピュータ１１０１から送信された接続確認
コマンドを外部入力端子１２０６ａ〜１２０６ｎを介して受信し、接続確認コマンドに対する応答コマンドを生成し、生成した応答コマンドを外部入力端子１２０６ａ〜１２０６ｎを介してパーソナルコンピュータ装置１１０１へ送信する。
（２）：制御部１２０５は、映像信号の入力を受け付ける外部入力端子の選択及び切り替えを行う。【００３５】
外部入力端子１２０６ａ〜１２０６ｎは、パーソナルコンピュータ１１０１との映像信号等の送受信を仲介する。【００３６】
以下に、上記のように構成された映像表示システムにおいて、パーソナルコンピュータ１１０１の映像表示部１１０５に表示されている映像を映像表示装置１２０１の映像出力部１２０４に表示させる場合の動作について説明する。【００３７】
本実施の形態では、映像の出力先を映像表示部１１０５にするか、映像出力部１２０４にするかを切り替えるための機能がパーソナルコンピュータ１１０１のキーボードのファンクションキーに割り付けられている。【００３８】
まず、映像の出力先を映像表示装置１２０１に切り替えた際、パーソナルコンピュータ１１０１の映像が映像表示装置１２０１で正常に出力される場合の動作について説明する。【００３９】
図２は、第１の実施の形態の動作を説明するためのフローチャートであり、図１に示した映像表示システムにおいて、映像の出力先を映像表示装置１２０１に切り替えた際、パーソナルコンピュータ１１０１の映像が正しく映像表示装置１２０１で出力される場合の動作を示している。【００４０】
まず、ユーザーは、パーソナルコンピュータ１１０１のキーボードのファンクションキーの操作により、映像の出力先を映像表示部１１０５から映像表示装置１２０１の映像出力部１２０４へ切り替える操作を行う（ＳＴＥＰ２０１）。【００４１】
ユーザーから映像出力先の切り替えの操作を受け付けたパーソナルコンピュータ１１０１のＵＩ部１１０２は、受け付けた切り替えの操作の内容を制御信号に変換し、その制御信号を制御部１１０３へ送信する。【００４２】
ＵＩ部１１０２から送信された制御信号を受信した制御部１１０３は、映像表示部１１０５への映像出力をＯＦＦにするとともに、モニタＩＦ部１１０４への映像出力をＯＮに切り替える（ステップ２０２）。【００４３】
そして、制御部１１０３は、モニタＩＦ部１１０４から映像信号線１３０２を介して映像表示装置１２０１へ映像信号を送信する。【００４４】
パーソナルコンピュータ１１０１から送信された映像信号を受信した映像処理部１２０２は、受信した映像信号が映像出力部１２０４で正常な表示が可能な映像信号かどうかを判断する。ここでは、受信した映像信号は、映像出力部１２０４で正常な表示が可能な映像信号なので、その旨を制御部１２０５へ通知する。そして、映像信号にスケーリング等の処理を施し、ＯＳＤ処理部１２０３を介して映像出力部１２０４に映像を表示させる（ＳＴＥＰ２０３）。【００４５】
次に、パーソナルコンピュータ１１０１の制御部１１０３は、モニタＩＦ部１１０４からＤＤＣ制御線１３０３を介して映像表示装置１２０１へ接続状態を確認するための接続確認コマンドを送信する（ＳＴＥＰ２０４）。【００４６】
そして、パーソナルコンピュータ１１０１の制御部１１０３は、接続確認コマンドを送信後、一定時間、映像表示装置１２０１からのコマンド受信待ち状態となる（ＳＴＥＰ２０５）。【００４７】
映像表示装置１２０１の制御部１２０５は、ＳＴＥＰ２０４においてパーソナルコンピュータ１１０１から送信された接続確認コマンドを受信する（ＳＴＥＰ２０６）。【００４８】
次に、制御部１２０５は、パーソナルコンピュータ１１０１と映像出力装置１２０１とが正常に接続されていることを示す応答コマンドである接続完了コマンドをＤＤＣ制御線１３０３を介してパーソナルコンピュータ１１０１へ送信する（ＳＴＥＰ２０７）。【００４９】
映像表示装置１２０１から送信された接続完了コマンドをモニタＩＦ部１１０４を介して受信した制御部１１０３は、パーソナルコンピュータ１１０１と映像表示装置１２０１とが正常に接続され、映像出力装置１２０１に映像が表示されていることを認識する（ＳＴＥＰ２０８）。【００５０】
次に、映像の出力先を映像表示装置１２０１に切り替え、パーソナルコンピュータ１１０１の映像が映像表示装置１２０１で出力はされているが、その表示が正常でない場合の動作について説明する。ここでは、パーソナルコンピュータ１１０１から送信された映像信号の周波数が映像表示装置１２０１の映像出力部１２０４で正常な表示が可能な周波数の範囲外である場合について説明する。【００５１】
図３は、第１の実施の形態の動作を説明するためのフローチャートであり、図１に示した映像表示システムにおいて、パーソナルコンピュータ１１０１から送信された映像信号の周波数が映像出力部１２０４で正常な表示が可能な周波数の範囲外である場合の動作を示している。【００５２】
まず、ユーザーは、パーソナルコンピュータ１１０１のキーボードのファンクションキーの操作により、映像の出力先を映像表示部１１０５から映像表示装置１２０１の映像出力部１２０４へ切り替える操作を行う（ＳＴＥＰ３０１）。【００５３】
ユーザーから映像出力先の切り替えの操作を受け付けたパーソナルコンピュータ１１０１のＵＩ部１１０２は、受け付けた切り替えの操作の内容を制御信号に変換し、その制御信号を制御部１１０３へ送信する。【００５４】
ＵＩ部１１０２から送信された制御信号を受信した制御部１１０３は、映像表示部１１０５への映像出力をＯＦＦにするとともに、モニタＩＦ部１１０４への映像出力をＯＮに切り替える（ＳＴＥＰ３０２）。【００５５】
そして、制御部１１０３は、モニタＩＦ部１１０４から映像信号線１３０２を介して映像表示装置１２０１へ映像信号を送信する。【００５６】
パーソナルコンピュータ１１０１から送信された映像信号を受信した映像処理部１２０２は、受信した映像信号が映像出力部１２０４で正常な表示が可能な映像信号かどうかを判断する。ここでは、受信した映像信号の周波数が映像出力部１２０４で正常な表示が可能な周波数の範囲外にあり、映像出力部１２０４で正常な表示が不可能な映像信号である。よって映像処理部１２０２は、その旨を制御部１２０５へ通知する。なお、この通知には映像出力部１２０４で正常な表示が可能な映像信号の周波数の範囲が示されている。
そして、映像処理部１２０２は、映像信号にスケーリング等の処理を施し、ＯＳＤ処理部１２０３を介して映像出力部１２０４に映像を表示させる。この場合、パーソナルコンピュータ１１０１から送信された映像信号の周波数が映像出力部１２０４で対応している周波数の範囲外なので、正常でない映像が表示されている（ＳＴＥＰ３０３）。【００５７】
次に、パーソナルコンピュータ１１０１の制御部１１０３は、モニタＩＦ部１１０４からＤＤＣ制御線１３０３を介して映像表示装置１２０１へ接続確認コマンドを送信する（ＳＴＥＰ３０４）。【００５８】
そして、制御部１１０３は、接続確認コマンドを送信後、一定時間、映像表示装置１２０１からのコマンド受信待ち状態となる（ＳＴＥＰ３０５）。【００５９】
映像表示装置１２０１の制御部１２０５は、ＳＴＥＰ３０４においてパーソナルコンピュータ１１０１から送信された接続確認コマンドを受信する（ＳＴＥＰ３０６）。【００６０】
次に、制御部１２０５は、パーソナルコンピュータ１１０１から受信した映像信号の周波数が映像出力部１２０４で正常な表示が可能な周波数の範囲外であることを示す応答コマンドであるアウトオブレンジコマンドをＤＤＣ制御線１３０３を介してパーソナルコンピュータ１１０１へ送信する送信する（ＳＴＥＰ３０７）。なお、アウトオブレンジコマンドには、映像出力部１２０４で正常な表示が可能な映像信号の周波数の範囲が示されている。【００６１】
パーソナルコンピュータ１１０１の制御部１１０３は、映像表示装置１２０１から送信されたアウトオブレンジコマンドをモニタＩＦ部１１０４を介して受信する（ＳＴＥＰ３０８）。【００６２】
そして、制御部１１０３は、受信したアウトオブレンジコマンドに示されている周波数の範囲内の周波数に切り替えた映像信号をモニタＩＦ部１１０４から映像信号線１３０２を介して映像表示装置１２０１へ映像信号を送信する。（ＳＴＥＰ３０９）。【００６３】
次に、制御部１１０３は、再度、モニタＩＦ部１１０４からＤＤＣ制御線１３０３を介して映像表示装置１２０１へ接続確認コマンドを送信する（ＳＴＥＰ３１０）。【００６４】
そして、制御部１１０３は、接続確認コマンドを送信後、一定時間、映像表示装置１２０１からのコマンド受信待ち状態となる（ＳＴＥＰ３１１）。【００６５】
映像表示装置１２０１の制御部１２０５は、ＳＴＥＰ３１０においてパーソナルコンピュータ１１０１から送信された接続確認コマンドを受信する（ＳＴＥＰ３１２）。【００６６】
次に、制御部１２０５は、パーソナルコンピュータ１１０１と映像出力装置１２０１とが正常に接続されていることを示す応答コマンドである接続完了コマンドをＤＤＣ制御線１３０３を介してパーソナルコンピュータ１１０１へ送信する（ＳＴＥＰ３１３）。【００６７】
映像表示装置１２０１から送信された接続完了コマンドをモニタＩＦ部１１０４を介して受信した制御部１１０３は、パーソナルコンピュータ１１０１と映像表示装置１２０１とが正常に接続され、映像出力装置１２０１に映像が表示されていることを認識する（ＳＴＥＰ３１４）。【００６８】
次に、映像の出力先を映像表示装置１２０１に切り替えたが、パーソナルコンピュータ１１０１の映像が映像表示装置１２０１で出力されない場合の動作について説明する。ここでは、映像表示装置１２０１の外部入力端子の選択が、パーソナルコンピュータ１１０１が接続されている外部入力端子以外になっている場合について説明する。【００６９】
図４は、第１の実施の形態の動作を説明するためのフローチャートであり、図１に示した映像表示システムにおいて、映像表示装置１２０１の外部入力端子の選択が、パーソナルコンピュータが接続されている外部入力端子以外になっている場合の動作を示している。【００７０】
まず、ユーザーは、パーソナルコンピュータ１１０１のキーボードのファンクションキーの操作により、映像の出力先を映像表示部１１０５から映像表示装置１２０１の映像出力部１２０４へ切り替える操作を行う（ＳＴＥＰ４０１）。【００７１】
ユーザーから映像出力先の切り替えの操作を受け付けたパーソナルコンピュータ１１０１のＵＩ部１１０２は、受け付けた切り替えの操作の内容を制御信号に変換し、その制御信号を制御部１１０３へ送信する。【００７２】
ＵＩ部１１０２から送信された制御信号を受信した制御部１１０３は、映像表示部１１０５への映像出力をＯＦＦにするとともに、モニタＩＦ部１１０４への映像出力をＯＮに切り替える（ＳＴＥＰ４０２）。【００７３】
そして、制御部１１０３は、モニタＩＦ部１１０４から映像信号線１３０２を介して映像表示装置１２０１へ映像信号を送信する。【００７４】
ここで、映像表示装置１２０１には映像信号が入力されるが、パーソナルコンピュータ１１０１が接続されている外部入力端子は選択されていないので、映像表示装置１２０１の映像出力部１２０４には、映像は表示されない（ＳＴＥＰ４０３）。【００７５】
次に、パーソナルコンピュータ１１０１の制御部１１０３は、モニタＩＦ部１１０４からＤＤＣ制御線１３０３を介して映像表示装置１２０１へ接続確認コマンドを送信する（ＳＴＥＰ４０４）。【００７６】
そして、制御部１１０３は、接続確認コマンドを送信後、一定時間、映像表示装置１２０１からのコマンド受信待ち状態となる（ＳＴＥＰ４０５）。【００７７】
映像表示装置１２０１の制御部１２０５は、ＳＴＥＰ４０４においてパーソナルコンピュータ１１０１から送信された接続確認コマンドを受信する（ＳＴＥＰ４０６）。【００７８】
パーソナルコンピュータ１１０１からの接続確認コマンドを受信した制御部１２０５は、外部入力端子の選択を、パーソナルコンピュータ１１０１が接続されている外部入力端子に切り替える（ＳＴＥＰ４０７）。【００７９】
映像表示装置１２０１の外部入力端子がパーソナルコンピュータ１１０１が接続されている外部入力端子に切り替わると、映像処理部１２０２は、パーソナルコンピュータ１１０１から送信された映像信号を受信する。【００８０】
パーソナルコンピュータ１１０１から送信された映像信号を受信した映像処理部１２０２は、受信した映像信号が映像出力部１２０４で正常な表示が可能な映像信号かどうかを判断する。ここでは、受信した映像信号は、映像出力部１２０４で正常な表示が可能な映像信号なので、その旨を制御部１２０５へ通知する。そして、映像信号にスケーリング等の処理を施し、ＯＳＤ処理部１２０３を介して映像出力部１２０４に映像を表示させる（ＳＴＥＰ４０８）。【００８１】
そして、制御部１２０５は、パーソナルコンピュータ１１０１と映像出力装置１２０１とが正常に接続されていることを示す応答コマンドである接続完了コマンドをＤＤＣ制御線１３０３を介してパーソナルコンピュータ１１０１へ送信する（ＳＴＥＰ４０９）。【００８２】
映像表示装置１２０１から送信された接続完了コマンドをモニタＩＦ部１１０４を介して受信した制御部１１０３は、パーソナルコンピュータ１１０１と映像表示装置１２０１とが正常に接続され、映像出力装置１２０１に映像が表示されていることを認識する（ＳＴＥＰ４１０）。【００８３】
次も、映像の出力先を映像表示装置１２０１に切り替えたが、パーソナルコンピュータ１１０１の映像が映像表示装置１２０１で出力されない場合の動作について説明するが、ここでは、パーソナルコンピュータ１１０１と映像表示装置１２０１とが物理的に接続されていない場合の動作について説明する。【００８４】
図５は、第１の実施の形態の動作を説明するためのフローチャートであり、図１に示した映像表示システムにおいて、パーソナルコンピュータ１１０１と映像表示装置１２０１とが物理的に接続されていない場合の動作を示している。【００８５】
まず、ユーザーは、パーソナルコンピュータ１１０１のキーボードのファンクションキーの操作により、映像の出力先を映像表示部１１０５から映像表示装置１２０１の映像出力部１２０４へ切り替える操作を行う（ＳＴＥＰ５０１）。【００８６】
ユーザーから映像出力先の切り替えの操作を受け付けたパーソナルコンピュータ１１０１のＵＩ部１１０２は、受け付けた切り替えの操作の内容を制御信号に変換し、その制御信号を制御部１１０３へ送信する。【００８７】
ＵＩ部１１０２から送信された制御信号を受信した制御部１１０３は、映像表示部１１０５への映像の出力をＯＦＦにするとともに、モニタＩＦ部１１０４への映像の出力をＯＮに切り替える（ＳＴＥＰ５０２）。【００８８】
そして、制御部１１０３は、モニタＩＦ部１１０４から映像信号線１３０２を介して映像表示装置１２０１へ映像信号を送信する。【００８９】
ここで、パーソナルコンピュータ１１０１と映像表示装置１２０１とは物理的に接続されていないため、映像表示装置１２０１は、映像を表示しない。【００９０】
次に、パーソナルコンピュータ１１０１の制御部１１０３は、モニタＩＦ部１１０４からＤＤＣ制御線１３０３を介して映像表示装置１２０１へ接続確認コマンドを送信する（ＳＴＥＰ５０３）。【００９１】
そして、制御部１１０３は、接続確認コマンドを送信後、一定時間、映像表示装置１２０１からのコマンド受信待ち状態となる（ＳＴＥＰ５０４）。【００９２】
ここで、パーソナルコンピュータ１１０１と映像表示装置１２０１とは物理的に接続されていないため、パーソナルコンピュータ１１０１から送信された接続確認コマンドは、映像表示装置１２０１へは到着しない。よって、パーソナルコンピュータ１１０１は、映像表示装置１２０１からのコマンドを受信することなく、コマンド受信待ち状態がタイムアウトとなる（ＳＴＥＰ５０５）。【００９３】
コマンド受信待ち状態がタイムアウトとなると、制御部１１０３は、映像表示部１１０５の映像出力をＯＮにするとともに、モニタＩＦ部１１０４への映像出力をＯＦＦに切り替える（ＳＴＥＰ５０６）。【００９４】
そして、制御部１１０３は、映像表示装置１２０１がパーソナルコンピュータ１１０１と正常に接続されていないことをユーザーに知らせるメッセージ等を映像表示部１１０５に表示させる（ＳＴＥＰ５０７）。【００９５】
なお、上述した第１の実施の形態では、ユーザーによる操作でパーソナルコンピュータ１１０１の映像出力を、パーソナルコンピュータ１１０１の映像表示部１１０５から映像表示装置１２０１へ切り替えた場合について説明しているが、パーソナルコンピュータ１１０１の映像表示部１１０５と映像表示装置１２０１との両方に映像を出力する場合も、パーソナルコンピュータ１１０１の映像表示部１１０５に常に映像が表示されること以外は同様である。【００９６】
また、上述した第１の実施の形態では、ユーザーが映像の出力先を切り替えた後に接続確認コマンドを送信しているが、接続確認コマンドを先に送信して接続確認をしてから、その結果に基づいて映像出力を切り替えてもよい。【００９７】
このように本形態においては、映像表示装置１２０１に映像が全く表示されない、もしくは、正しく表示されない場合でも、ユーザーにその原因を通知したり、自動的に出力調整されたりする。よって、ユーザーがパーソナルコンピュータ１１０１の映像を映像表示装置１２０１に表示させることが容易になる。
（第２の実施の形態）
第２の実施の形態では、パーソナルコンピュータ１１０１が有する映像表示装置１２０１を制御するためのアプリケーションを利用し、映像表示装置１２０１との接続を行う方法について説明する。【００９８】
本形態の映像表示システムと第１の実施の形態で示した映像表示システムとの違いは、パーソナルコンピュータ１１０１が映像表示装置１２０１を制御するための映像表示装置制御用アプリケーションを記憶部１１０６に有している点である。【００９９】
映像表示装置制御用アプリケーションは、映像表示装置１２０１の電源のＯＮ／ＯＦＦを行う機能や映像表示装置１２０１の外部入力端子を切り替える機能を有する。【０１００】
図６は、図１に示したパーソナルコンピュータ１１０１が有している映像表示装置制御用アプリケーションを説明するための図であり、映像表示装置制御用アプリケーションを操作するための操作用アイコン６０１が映像表示部１１０５に表示されているところを示している。【０１０１】
図６に示すように、操作用アイコン６０１は、映像表示装置１２０１の外部入力端子を切り替えるための外部入力端子切り替えアイコン６０２と、外部入力端子リスト６０３とを備えている。【０１０２】
ユーザーが外部入力端子切り替えアイコン６０２をマウスでクリックすると、映像表示装置１２０１の外部入力端子リスト６０３が表示される。外部入力端子リスト６０３には、映像表示装置１２０１に接続され、映像表示装置１２０１へ出力させる映像の供給元となる装置の装置名が列記されている。【０１０３】
そして、ユーザーが外部入力端子リスト６０３から装置名を選択すると、外部入力端子の切り替えを指示するための外部入力端子切り替えコマンドが映像表示装置１２０１へ送信される。外部入力端子切り替えコマンドを受信した映像表示装置１２０１は、選択された装置が接続されている外部入力端子を映像信号を受け付ける外部入力端子として選択する。【０１０４】
図７は、第２の実施の形態の動作を説明するためのフローチャートであり、図１に示した映像表示システムにおいて、ユーザーが映像表示装置操作用アプリケーションを操作して、映像表示装置１２０１の外部入力端子をパーソナルコンピュータ１１０１が接続されている外部入力端子に切り替える場合の動作を示している。【０１０５】
まず、ユーザーは、パーソナルコンピュータ１１０１上で動作している、映像表示装置操作用アプリケーションの外部入力端子切り替えアイコン６０２をマウスでクリックする。【０１０６】
ユーザーから外部入力端子切り替えアイコン６０２のクリックを受け付けたＵＩ部１１０２は、受け付けた内容を制御信号に変換し、その制御信号を制御部１１０３へ送信する。【０１０７】
ＵＩ部１１０２から送信された制御信号を受信した制御部１１０３は、記憶部１１０６に格納されている映像表示装置操作用アプリケーションに処理を行わせ、その結果、外部入力端子リスト６０３が映像表示部１１０５に表示される。【０１０８】
そして、ユーザーが、外部入力端子リスト６０３からパーソナルコンピュータ１１０１自身を示す「コンピュータ」を選択すると（ＳＴＥＰ７０１）、選択を受け付けたＵＩ部１２０２は、受け付けた内容を制御信号に変換し、その制御信号を制御部１１０３へ送信する。【０１０９】
ＵＩ部１１０２から送信された制御信号を受信した制御部１１０３は、モニタＩＦ部１１０４からＤＤＣ制御線１３０３を介し、外部入力端子の切り替えを指示するための外部入力端子切り替えコマンドを映像表示装置１２０１へ送信する（ＳＴＥＰ７０２）。【０１１０】
そして、制御部１１０３は、外部入力端子切り替えコマンドを送信後、一定時間、映像表示装置１２０１からのコマンド受信待ち状態となる（ＳＴＥＰ７０３）。【０１１１】
映像表示装置１２０１の制御部１２０５は、ＳＴＥＰ７０２においてパーソナルコンピュータ１１０１から送信された外部入力端子切り替えコマンドを受信する（ＳＴＥＰ７０４）。【０１１２】
次に、制御部１２０５は、外部入力端子の選択をパーソナルコンピュータ１１０１が接続されている外部入力端子に切り替える（ＳＴＥＰ７０５）。【０１１３】
そして、制御部１２０５は、外部入力端子の切り替えが完了したことを示す外部入力端子切り替え完了コマンドをＤＤＣ制御線１３０３を介してパーソナルコンピュータ１１０１へ送信する（ＳＴＥＰ７０６）。なお、外部入力端子切り替え完了コマンドは、パーソナルコンピュータ１１０１が接続されている外部入力端子が現在選択されている外部入力端子であることを示す情報を含んでいる。【０１１４】
パーソナルコンピュータ１１０１の制御部１１０３は、映像表示装置１２０１から送信された外部入力端子切り替え完了コマンドをモニタＩＦ部１１０４を介して受信し（ＳＴＥＰ７０７）、映像表示装置１２０１で選択されている外部入力端子が、パーソナルコンピュータ１１０１が接続されている外部入力端子であることを認識すると、映像表示部１１０５の映像出力をＯＦＦにするとともに、モニタＩＦ部１１０４の映像出力をＯＮに切り替える。【０１１５】
そして、制御部１１０３は、映像信号をモニタＩＦ部１１０４から映像信号線１３０２を介して映像表示装置１２０１の映像処理部１２０２へ送信する（ＳＴＥＰ７０８）。【０１１６】
パーソナルコンピュータ１１０１から送信された映像信号を受信した映像処理部１２０２は、受信した映像信号が映像出力部１２０４で正常な表示が可能な映像信号かどうかを判断する。ここでは、受信した映像信号は、映像出力部１２０４で正常な表示が可能な映像信号なので、その旨を制御部１２０５へ通知する。そして、映像信号にスケーリング等の処理を施し、ＯＳＤ処理部１２０３を介して映像出力部１２０４に映像を表示させる（ＳＴＥＰ７０９）。【０１１７】
なお、本発明においては、パーソナルコンピュータまたは映像表示装置内の処理は上述の専用のハードウェアにより実現されるもの以外に、その機能を実現するためのプログラムをパーソナルコンピュータまたは映像表示装置にて読取可能な記録媒体に記録し、この記録媒体に記録されたプログラムをパーソナルコンピュータまたは映像表示装置に読み込ませ、実行するものであっても良い。パーソナルコンピュータまたは映像表示装置にて読取可能な記録媒体とは、フロッピーディスク、光磁気ディスク、ＤＶＤ、ＣＤなどの移設可能な記録媒体の他、パーソナルコンピュータまたは映像表示装置に内蔵されたＨＤＤなどを指す。【０１１８】
以上、実施例を参照して本願発明を説明したが、本願発明は上記実施例に限定されるものではない。本願発明の構成や詳細には、本願発明のスコープ内で当業者が理解し得る様々な変更をすることができる。
【図１】
2009147713.tif 000003
【図２】
2009147713.tif 000004
【図３】
2009147713.tif 000005
【図４】
2009147713.tif 000006
【図５】
2009147713.tif 000007
【図６】
2009147713.tif 000008
【図７】
2009147713.tif 000009
【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
映像表示装置と、該映像表示装置に出力させる映像の映像信号を供給する映像供給装置とを具備し、前記映像表示装置と前記映像供給装置との接続状態を確認できる映像表示システムであって、
前記映像供給装置は、前記映像表示装置との接続状態および前記映像表示装置の動作環境を確認するための接続確認コマンドを前記映像表示装置へ送信し、その後、前記映像表示装置から送信された接続状態および動作環境を示す応答コマンドを受信すると、その受信内容に応じた映像信号を生成する映像供給装置側制御部を備え、
前記映像表示装置は、前記映像供給装置側制御部からの接続確認コマンドを受信すると、接続状態および自身の動作環境を示す応答コマンドを生成して前記映像供給装置側制御部へ送信する映像表示装置側制御部を備えることを特徴とする映像表示システム。
【請求項２】
請求項１に記載の映像表示システムにおいて、
前記映像表示装置は、前記映像供給装置側制御部から送信された映像信号を受信すると、受信した映像信号に基づく映像を表示する映像出力部を備え、
前記映像表示装置側制御部は、前記映像が正常に前記映像出力部に表示されていない場合、前記映像表示装置の動作環境を示す応答コマンドを前記映像供給装置側制御部へ送信する映像表示システム。
【請求項３】
請求項１に記載の映像表示システムにおいて、
前記映像表示装置は、映像信号の入力を受け付ける複数の外部入力端子を備え、
前記映像表示装置側制御部は、前記映像供給装置側制御部から送信された接続確認コマンドを受信した外部入力端子が映像信号の入力を受け付ける状態にある外部入力端子と異なっていた場合、前記接続確認コマンドを受信した外部入力端子を映像信号の入力を受け付ける状態に切り替え、前記映像供給装置と前記映像表示装置との接続状態が正常であることを示す応答コマンドを前記映像供給装置側制御部へ送信する映像表示システム。
【請求項４】
請求項１に記載の映像表示システムにおいて、
前記映像供給装置は、前記映像供給装置側制御部によって生成された映像信号に基づく映像を表示する映像表示部を備え、
前記映像供給装置側制御部は、前記接続確認コマンドを前記映像表示装置側制御部へ送信した後、予め決められた時間を経過しても前記映像表示装置側制御部から応答コマンドを受信しなかった場合、前記映像と、前記映像供給装置と前記映像表示装置との接続状態が正常でないことを示すメッセージと、を前記映像表示部に表示させる映像表示システム。
【請求項５】
映像供給装置とともに映像表示システムを構成する映像表示装置において、
前記映像供給装置から、該映像供給装置との接続状態および動作環境を確認するための接続確認コマンドを受信した際に、前記映像供給装置との接続状態および自身の動作環境を示す応答コマンドを生成して前記映像供給装置へ送信する映像表示装置側制御部を備える映像表示装置。
【請求項６】
請求項５に記載の映像表示装置において、
前記映像供給装置から送信された映像信号を受信すると、受信した映像信号に基づく映像を表示する映像出力部を備え、
前記映像表示装置側制御部は、前記映像が正常に前記映像出力部に表示されていない場合、前記映像表示装置の動作環境を示す応答コマンドを前記映像供給装置へ送信する映像表示装置。
【請求項７】
請求項５に記載の映像表示装置において、
映像信号の入力を受け付ける複数の外部入力端子を備え、
前記映像表示装置側制御部は、前記映像供給装置から送信された接続確認コマンドを受信した外部入力端子が映像信号の入力を受け付ける状態にある外部入力端子と異なっていた場合、前記接続確認コマンドを受信した外部入力端子を映像信号の入力を受け付ける状態に切り替え、前記映像供給装置と前記映像表示装置との接続状態が正常であることを示す応答コマンドを前記映像供給装置へ送信する映像表示装置。
【請求項８】
映像表示装置とともに映像表示システムを構成する映像供給装置において、
前記映像表示装置へ、該映像表示装置との接続状態および動作環境を確認するための接続確認コマンドを送信し、その後、前記映像表示装置から送信された接続状態および動作環境を示す応答コマンドを受信すると、その受信内容に応じた映像信号を生成する映像供給装置側制御部を備える映像供給装置。
【請求項９】
請求項８に記載の映像供給装置において、
前記映像供給装置側制御部によって生成された映像信号に基づく映像を表示する映像表示部を備え、
前記映像供給装置側制御部は、前記接続確認コマンドを前記映像表示装置へ送信した後、予め決められた時間を経過しても前記映像表示装置から応答コマンドを受信しなかった場合、前記映像と、前記映像供給装置と前記映像表示装置との接続状態が正常でないことを示すメッセージと、を前記映像表示部に表示させる映像供給装置。
【請求項１０】
映像表示装置と、該映像表示装置に出力させる映像の映像信号を供給する映像供給装置とを具備する映像表示システムで行われ、前記映像表示装置と前記映像供給装置との接続状態を確認できる映像表示方法であって、
前記映像供給装置が、前記映像表示装置との接続状態および前記映像表示装置の動作環境を確認するための接続確認コマンドを前記映像表示装置へ送信する処理と、
前記映像表示装置が、前記映像供給装置側制御部からの接続確認コマンドを受信すると、接続状態および自身の動作環境を示す応答コマンドを生成して前記映像供給装置側制御部へ送信する処理と、
前記映像供給装置が、前記映像表示装置から送信された接続状態および動作環境を示す応答コマンドを受信すると、その受信内容に応じた映像信号を生成する処理とを有する映像表示方法。
【国際調査報告】
2009147713.tif 000010
2009147713.tif 000011
2009147713.tif 000012
2009147713.tif 000013
2009147713.tif 000014
2009147713.tif 000015
2009147713.tif 000016
2009147713.tif 000017